【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】  物体側より順に、負の屈折力の第１レンズ群、正の屈折力の第２レンズ群、負の屈折力の第３レンズ群、正の屈折力の第４レンズ群より構成され、広角端から望遠端への変倍に際し、前記第１レンズ群は像側へ凸状の軌跡で移動し、前記第２レンズ群は前記第１レンズ群との間隔が縮小するように物体側へ移動し、前記第３レンズ群と前記第２レンズの間隔は増大し、前記第４レンズ群は前記第３レンズ群との間隔が縮小するように物体側へ移動し、第ｉレンズ群の負レンズの材質の屈折率をＮｉｎ、第ｉレンズ群の負レンズの材質のアッベ数をνｉｎ、第ｉレンズ群の焦点距離をｆｉ、広角端における光学系全体の焦点距離をｆｗとするとき、
（ａ）３５＜ν１ｎ＜６５
（ｂ）３５＜ν１ｎ＜５２の時
−０．０１３ν１ｎ＋２．１９＜Ｎ１ｎ＜−０．００５ν１ｎ＋１．９２
５２＜ν１ｎ＜６０の時
１．５＜Ｎ１ｎ＜−０．００５ν１ｎ＋１．９２
６０＜ν１ｎ＜６５の時
１．５＜Ｎ１ｎ＜−０．０２２ν１ｎ＋２．９４
（ｃ）０．９＜｜ｆ１／ｆｗ｜＜１．８
の条件を満足することを特徴とするズームレンズ。
【請求項２】  前記第１レンズ群は物体側から順に、物体側に凸面を向けたメニスカス状の負レンズ、負レンズ、物体側に凸面を向けたメニスカス状の正レンズより構成されていることを特徴とする請求項１記載のズームレンズ。
【請求項３】  前記第２レンズ群と第４レンズ群は変倍の際、一体に移動することを特徴とする請求項１又は２記載のズームレンズ。
【請求項４】  
０．６５＜  ｆ２／ｆｗ  ＜１．３
１．２  ＜｜ｆ３／ｆｗ｜＜３．４
２．１  ＜  ｆ４／ｆｗ  ＜８．５
の条件を満足することを特徴とする請求項１，２又は３記載のズームレンズ。
【請求項５】  前記第２レンズ群は２枚の正レンズと１枚の負レンズで構成されていることを特徴とする請求項１から４のいずれか１項記載のズームレンズ。
【請求項６】  前記第３レンズ群は負レンズと正レンズの接合レンズで構成されていることを特徴とする請求項１から５のいずれか１項記載のズームレンズ。
【請求項７】  前記第４レンズ群は負レンズと正レンズで構成され、少なくとも１面の非球面を有していることを特徴とする請求項１から６のいずれか１項記載のズームレンズ。
【請求項８】  前記第２レンズ群は１枚の正レンズ、そして負レンズと正レンズとを接合した正の接合レンズで構成されていることを特徴とする請求項５記載のズームレンズ。
【請求項９】  前記第４レンズ群はプラスチック非球面レンズを有していることを特徴とする請求項７記載のズームレンズ。
【請求項１０】  前記第２レンズ群は１枚の正レンズ、そして負レンズと正レンズとを接合した正の接合レンズで構成され、前記第３レンズ群は負レンズと正レンズの接合レンズで構成され、前記第４レンズ群は負レンズと正レンズで構成され、プラスチック非球面レンズを有していることを特徴とする請求項１から４のいずれか１項のズームレンズ。
【請求項１１】  物体側より順に、負の屈折力の第１レンズ群、正の屈折力の第２レンズ群、負の屈折力の第３レンズ群、正の屈折力の第４レンズ群より構成され、広角端から望遠端への変倍に際し、前記第１レンズ群は像側へ凸状の軌跡で移動し、前記第２レンズ群は前記第１レンズ群との間隔が縮小するように物体側へ移動し、前記第３レンズ群は前記第２レンズ群の間隔が増大するように物体側へ移動し、前記第４レンズ群は前記第３レンズ群との間隔を縮小とするように物体側へ移動し、前記第１レンズ群は、物体側から順に、物体側に凸面を向けたメニスカス状の負レンズ、負レンズ、正レンズより構成され、前記第２レンズ群は２枚の正レンズと１枚の負レンズで構成され、絞りは前記第３レンズ群の近傍に配置され、且つ前記第３レンズ群と一体に移動し、第ｉレンズ群の焦点距離をｆｉ、広角端における光学系全体の焦点距離をｆｗとしたとき
１．１＜｜ｆ１／ｆｗ｜＜１．４
０．８＜  ｆ２／ｆｗ  ＜１．１
の条件を満足することを特徴とするズームレンズ。
【請求項１２】  前記絞りは第３レンズ群の物体側に配置されていることを特徴とする請求項１１記載のズームレンズ。
【請求項１３】  前記第２レンズ群と第４レンズ群は変倍の際、一体に移動することを特徴とする請求項１１又は１２記載のズームレンズ。
【請求項１４】  前記第３レンズ群は正レンズ、負レンズ、各１枚で構成され、且つ
１．５＜｜ｆ３／ｆｗ｜＜３．０
の条件を満足することを特徴とする請求項１１，１２又は１３記載のズームレンズ。
【請求項１５】  前記第４レンズ群は正レンズ、負レンズ各１枚で構成され、
２．５＜ｆ４／ｆｗ＜８．０
の条件を満足することを特徴とする請求項１１から１４のいずれか１項記載のズームレンズ。
【請求項１６】  前記第２レンズ群は負レンズと正レンズの接合レンズを有し、第ｉレンズ群の接合レンズの正レンズの材質のアッベ数をνｉｐ、第ｉレンズ群の接合レンズの負レンズの材質のアッベ数をνｉｎとしたとき
２０＜ν２ｐ−ν２ｎ
の条件を満足することを特徴とする請求項１１から１５のいずれか１項記載のズームレンズ。
【請求項１７】  前記第３レンズ群は負レンズと正レンズの接合レンズより構成され、第ｉレンズ群の接合レンズの正レンズの材質の屈折率をＮｉｐ、第ｉレンズ群の接合レンズの負レンズの材質の屈折率をＮｉｎ、第ｉレンズ群の接合レンズの正レンズの材質のアッベ数をνｉｐ、第ｉレンズ群の接合レンズの負レンズの材質のアッベ数をνｉｎとしたとき
４．０  ＜ν３ｎ−ν３ｐ＜１２．０
０．０５＜Ｎ３ｐ−Ｎ３ｎ＜０．２０
の条件を満足することを特徴とする請求項１１から１６のいずれか１項のズームレンズ。
【請求項１８】  前記第４レンズ群は少なくとも１つの非球面を有していることを特徴とする請求項１１から１７のいずれか１項記載のズームレンズ。
【請求項１９】  前記第４レンズ群はプラスティック非球面レンズを有していることを特徴とする請求項１１から１８のいずれか１項記載のズームレンズ。
【請求項２０】  請求項１から１９のいずれか１項のズームレンズを有していることを特徴とするカメラ
【手続補正２】
【補正対象書類名】明細書
【補正対象項目名】００１０
【補正方法】変更
【補正の内容】
【００１０】
請求項１の発明のズームレンズは、物体側より順に、負の屈折力の第１レンズ群、正の屈折力の第２レンズ群、負の屈折力の第３レンズ群、正の屈折力の第４レンズ群より構成され、広角端から望遠端への変倍に際し、前記第１レンズ群は像側へ凸状の軌跡で移動し、前記第２レンズ群は前記第１レンズ群との間隔が縮小するように物体側へ移動し、前記第３レンズ群と前記第２レンズの間隔は増大し、前記第４レンズ群は前記第３レンズ群との間隔が縮小するように物体側へ移動し、第ｉレンズ群の負レンズの材質の屈折率をＮｉｎ、第ｉレンズ群の負レンズの材質のアッベ数をνｉｎ、第ｉレンズ群の焦点距離をｆｉ、広角端における光学系全体の焦点距離をｆｗとするとき、
（ａ）３５＜ν１ｎ＜６５
（ｂ）３５＜ν１ｎ＜５２の時
−０．０１３ν１ｎ＋２．１９＜Ｎ１ｎ＜−０．００５ν１ｎ＋１．９２
５２＜ν１ｎ＜６０の時
１．５＜Ｎ１ｎ＜−０．００５ν１ｎ＋１．９２
６０＜ν１ｎ＜６５の時
１．５＜Ｎ１ｎ＜−０．０２２ν１ｎ＋２．９４
（ｃ）０．９＜｜ｆ１／ｆｗ｜＜１．８
の条件を満足することを特徴としている。
【手続補正３】
【補正対象書類名】明細書
【補正対象項目名】００１１
【補正方法】変更
【補正の内容】
【００１１】
請求項２の発明は請求項１の発明において、前記第１レンズ群は物体側から順に、物体側に凸面を向けたメニスカス状の負レンズ、負レンズ、物体側に凸面を向けたメニスカス状の正レンズより構成されていることを特徴としている。
【手続補正４】
【補正対象書類名】明細書
【補正対象項目名】００２０
【補正方法】変更
【補正の内容】
【００２０】
請求項１１の発明のズームレンズは、物体側より順に、負の屈折力の第１レンズ群、正の屈折力の第２レンズ群、負の屈折力の第３レンズ群、正の屈折力の第４レンズ群より構成され、広角端から望遠端への変倍に際し、前記第１レンズ群は像側へ凸状の軌跡で移動し、前記第２レンズ群は前記第１レンズ群との間隔が縮小するように物体側へ移動し、前記第３レンズ群は前記第２レンズ群の間隔が増大するように物体側へ移動し、前記第４レンズ群は前記第３レンズ群との間隔を縮小とするように物体側へ移動し、前記第１レンズ群は、物体側から順に、物体側に凸面を向けたメニスカス状の負レンズ、負レンズ、正レンズより構成され、前記第２レンズ群は２枚の正レンズと１枚の負レンズで構成され、絞りは前記第３レンズ群の近傍に配置され、且つ前記第３レンズ群と一体に移動し、第ｉレンズ群の焦点距離をｆｉ、広角端における光学系全体の焦点距離をｆｗとしたとき
１．１＜｜ｆ１／ｆｗ｜＜１．４
０．８＜  ｆ２／ｆｗ  ＜１．１
の条件を満足することを特徴としている。
【手続補正５】
【補正対象書類名】明細書
【補正対象項目名】００２６
【補正方法】変更
【補正の内容】
【００２６】
請求項１７の発明は請求項１１から１６のいずれか１項の発明において、前記第３レンズ群は負レンズと正レンズの接合レンズより構成され、第ｉレンズ群の接合レンズの正レンズの材質の屈折率をＮｉｐ、第ｉレンズ群の接合レンズの負レンズの材質の屈折率をＮｉｎ、第ｉレンズ群の接合レンズの正レンズの材質のアッベ数をνｉｐ、第ｉレンズ群の接合レンズの負レンズの材質のアッベ数をνｉｎとしたとき
４．０  ＜ν３ｎ−ν３ｐ＜１２．０
０．０５＜Ｎ３ｐ−Ｎ３ｎ＜０．２０
の条件を満足することを特徴としている。
【手続補正６】
【補正対象書類名】明細書
【補正対象項目名】００２８
【補正方法】変更
【補正の内容】
【００２８】
請求項１９の発明は請求項１１から１８のいずれか１項の発明において、前記第４レンズ群はプラスティック非球面レンズを有していることを特徴としている。請求項２０の発明のカメラは、請求項１から１９のいずれか１項のズームレンズを有していることを特徴とする。